(57)【要約】  靴１００は、路面に接するアウターソール１０と、アウターソール１０の上に配設されるミッドソール２０と、足を上方から覆うアッパー９とを備える。ミッドソール２０は、側方に向けて開放され、幅方向の中途部で閉塞する切欠き部２１等を中足部に有する。
2020136914.tif 000002
【特許請求の範囲】
【請求項１】
路面に接するアウターソールと、前記アウターソールの上に配設されるミッドソールと、足を上方から覆うアッパーとを備える靴において、
前記ミッドソールは、側方に向けて開放され、幅方向の中途部で閉塞する切欠き部を中足部に有することを特徴とする靴。
【請求項２】
前記切欠き部は、内側部に設けられていることを特徴とする請求項１に記載の靴。
【請求項３】
前記切欠き部の下面側に、硬度または剛性が上面側以上である変形抑制部が設けられていることを特徴とする請求項１または２に記載の靴。
【請求項４】
前記変形抑制部は、板状をなし、前記切欠き部の下面側の前方から後方に亘って延びるように設けられていることを特徴とする請求項３に記載の靴。
【請求項５】
前記変形抑制部は、中足部において幅方向に拡幅し、中央部に上下に貫通する孔が形成されており、内側部分における幅寸法が、外側部分よりも大きいことを特徴とする請求項４に記載の靴。
【請求項６】
前記切欠き部は、上面側の下方への変形を抑制する上面変形抑制部を有することを特徴とする請求項１から５のいずれか１項に記載の靴。
【請求項７】
前記切欠き部の内面から前記ミッドソールを貫通するように通気孔が形成されていることを特徴とする請求項１から６のいずれか１項に記載の靴。
【請求項８】
前記通気孔は、水が外部から侵入することを抑制されるように上下方向に延びるように設けられていることを特徴とする請求項７に記載の靴。
【発明の詳細な説明】
【技術分野】
【０００１】
本発明は、スポーツ等で着用する靴に関する。
【背景技術】
【０００２】
スポーツ等で着用する靴は、着用者が歩行や、走行、運動等を行った際に身体の足部分の動きに追従し、しっかりと足をサポートすることが望まれる。【０００３】
例えば、特許文献１には、ミッドソールの一部を強化する強化部材を備える靴底が開示されている。強化部材は、第１アーチの下面と、第２アーチの上面とが互いに向かい合うように配置される。第１アーチの下面の少なくとも一部は、第２アーチの上面の一部に対して上下に離間して互いに非接触となっている。第１アーチおよび第２アーチは靴底の内側から外側に亘って形成され、内側面および外側面が閉塞されている。
【先行技術文献】
【特許文献】
【０００４】
【特許文献１】国際公開第２００５／０３７００２号公報
【発明の概要】
【発明が解決しようとする課題】
【０００５】
ところで、着用者が靴を履く際に、靴紐等を締めることで着用者の足に靴がフィットする。本発明者は、足および靴がフィットすることに関して以下の知見を得た。即ち、靴紐を締めることで足の踏まず部が靴底に沿うように沈み込み、内側アーチの高さが低くなることで、内側アーチのばね機能やクッション機能が低下する。【０００６】
特許文献１に記載の靴底は、第１アーチおよび第２アーチの内側面が閉塞されていることで、ミッドソールの内側部における剛性が高まる傾向にあるため、足の踏まず部への靴底のフィット性は限定的なものとなっており、改善の余地があることに気づいた。【０００７】
本発明は、こうした課題に鑑みてなされたものであり、その目的は、足のアーチ部分の沈み込みを低減することができる靴を提供することにある。
【課題を解決するための手段】
【０００８】
本発明のある態様は靴である。靴は、路面に接するアウターソールと、前記アウターソールの上に配設されるミッドソールと、足を上方から覆うアッパーとを備える靴において、前記ミッドソールは、側方に向けて開放され、幅方向の中途部で閉塞する切欠き部を中足部に有することを特徴とする。【０００９】
なお、以上の構成要素の任意の組み合わせや、本発明の構成要素や表現を方法、装置などの間で相互に置換したものもまた、本発明の態様として有効である。
【発明の効果】
【００１０】
本発明によれば、足のアーチ部分の沈み込みを低減することができる。
【図面の簡単な説明】
【００１１】
【図１】実施形態１に係る靴の外観を示す分解斜視図である。
【図２】靴底の平面図に人体の足の骨格モデルを重ねた模式図である。
【図３】足の骨格モデルの斜視図である。
【図４】靴底の分解斜視図である。
【図５】靴底の内側の側面図である。
【図６】図５に示すＡ−Ａ線による靴底の断面図である。
【図７】図７（ａ）および図７（ｂ）は踏まず部への靴底のフィット性について説明するための模式図である。
【図８】図８（ａ）〜図８（ｅ）はプレート部材の変形例を示す模式図である。
【図９】実施形態２に係る靴底の外観を示す斜視図である。
【図１０】靴底の分解斜視図である。
【図１１】図１１（ａ）は実施形態３に係る靴底の内側から見た外観を示す斜視図であり、図１１（ｂ）は実施形態３に係る靴底の外側から見た外観を示す斜視図である。
【図１２】図１２（ａ）はアウターソール１０を除く靴底の内側下方から見た外観を示す斜視図であり、図１２（ｂ）はアウターソール１０を除く靴底の外側下方から見た外観を示す斜視図である。
【図１３】図１３（ａ）は変形抑制部の外観を示す斜視図であり、図１３（ｂ）は下ミッドソールの外観を示す斜視図である。
【発明を実施するための形態】
【００１２】
以下、本発明を好適な実施の形態をもとに図１から図１３を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で関連の少ない部材の一部は省略して表示する。
【００１３】
（実施形態１）
図１は実施形態１に係る靴１００の外観を示す分解斜視図である。靴１００は、アッパー９および靴底１を有する。アッパー９は、靴底１の周縁部に接着または縫合されて足の上側を覆う。靴底１は、アウターソール１０およびミッドソール２０等を有し、アウターソール１０の上にミッドソール２０を積層し、さらに図示しない中敷等を積層して構成される。
【００１４】
図２は靴底１の平面図に人体の足の骨格モデルを重ねた模式図である。人体の足は、主に、楔状骨Ｂａ、立方骨Ｂｂ、舟状骨Ｂｃ、距骨Ｂｄ、踵骨Ｂｅ、中足骨Ｂｆ、趾骨Ｂｇで構成される。足の関節には、ＭＰ関節Ｊａ、リスフラン関節Ｊｂ、ショパール関節Ｊｃが含まれる。ショパール関節Ｊｃには、立方骨Ｂｂと踵骨Ｂｅがなす踵立方関節Ｊｃ１と、舟状骨Ｂｃと距骨Ｂｄがなす距舟関節Ｊｃ２とが含まれる。
【００１５】
本発明において足の中心線Ｎは、母趾球の中心Ｎ１および小趾球の中心Ｎ２の中点Ｎ３と、踵の中心Ｎ４とを結んだ直線で表される。例えば、前後方向Ｙは中心線Ｎに平行に、また幅方向Ｘは中心線Ｎに直交する。ＭＰ関節Ｊａの踵側の末端を通ると想定される幅方向Ｘ（中心線Ｎに直交する方向）に沿った直線を線Ｐとする。また着用者のショパール関節Ｊｃのつま先側の末端を通ると想定される幅方向Ｘに沿った直線を線Ｑとする。ここで、前足部は線Ｐからつま先側の領域を、中足部は、線Ｐから線Ｑまでの領域を、後足部は、線Ｑから踵側の領域をいうものとする。線Ｐおよび線Ｑの靴１００との関係について見れば、例えば、線Ｐは中心線Ｎ方向における靴１００の全長Ｍに対して踵側の後端から４０％乃至７５％の範囲に位置する。より好ましくは後端から５５％乃至７０％の範囲に位置する。また線Ｑは中心線Ｎ方向における靴１００の全長Ｍに対して踵側の後端から２０％乃至４５％の範囲に位置する。より好ましくは後端から２５％乃至４０％の範囲に位置する。
【００１６】
図３は、足の骨格モデルの斜視図である。足は、母趾球の中心Ｎ１、小趾球の中心Ｎ２、および踵の中心Ｎ４の３点間に形成されるアーチ構造を有している。母趾球の中心Ｎ１および踵の中心Ｎ４間には内側縦アーチが、小趾球の中心Ｎ２および踵の中心Ｎ４間には外側縦アーチが形成される。また、母趾球の中心Ｎ１および小趾球の中心Ｎ２間には横アーチが形成される。とくに内側縦アーチにおける足裏は、接地面から離間した踏まず部となっている。
【００１７】
図４は、靴底１の分解斜視図である。アウターソール１０は、路面に接地される底面部分が足の前後方向Ｙの全長に亘って形成されており、つま先側は、足の着地後から蹴り出しまでの動作をスムーズにするために踵側よりも高い位置に巻き上げられている。アウターソール１０は、例えばゴム等の材質で形成されており、路面の凹凸などを吸収し、耐摩耗性を持たせて耐久性を有する。アウターソール１０は、つま先部分に配設され、グリップ特性に優れたつま先ソール部１１と、つま先ソール部１１の後部に連なり、つま先ソール部１１よりも軽量なソール本体部１２とを有する。つま先ソール部１１の後縁１１ａは、母趾球側から小趾球側へ向かうにつれて後方へ延びるように傾斜している。このようにつま先ソール部１１とソール本体部１２とを異なる特性の素材で構成することで、靴が使用される競技に応じて足の運動性を向上することができる。
【００１８】
ミッドソール２０は、アウターソール１０の上に配置されており、つま先から踵まで形成されている。ミッドソール２０の中足部の内側には、切欠き部２１が形成されている。切欠き部２１は、上面部２１ａを残しつつ中足部の内側から穿つように形成されており、内側および底側が開放されている。
【００１９】
図５は靴底１の内側の側面図であり、図６は図５に示すＡ−Ａ線による靴底１の断面図である。切欠き部２１の底側は、ミッドソール２０の下面に沿って配設されたプレート部材３０によって下面部２１ｂが形成されて閉塞される。したがって、ミッドソール２０の内側部に設けられた切欠き部２１は、上面部２１ａおよび下面部２１ｂによって上下が閉塞され、内側に向けて開放された凹状をなす。
【００２０】
上面部２１ａは、前部から後方へ向かうにつれて上昇するように傾斜し、後部において、後方へ向かうにつれて下降するように傾斜している。上面部２１ａは、内側から見て直線状や曲線状であってもよいし、凹凸のあるライン等で形成されていてもよい。切欠き部２１の奥部２１ｃは幅方向Ｘの中途部で閉塞されている。中途部で閉塞されずに空洞状となっていると、着地時に足全体が下方に沈み込むが、本実施形態のように閉塞されていると、適切に足の沈み込みを抑制することができる。切欠き部２１の上面部２１ａは、奥部２１ｃへ向かうにつれて下降するように傾斜しており、上面部２１ａから上方へミッドソール２０を貫通するように通気孔２２が形成されている。上面部２１ａに、下方へ向けて突出する突起部（図示略）を設けてもよく、該突起部によって上面部２１ａの下方への沈み込みが抑制され、さらに該突起部を通気孔２２よりも幅方向Ｘにおける内側に設けることで通気孔２２への水の侵入が抑制される。同様に下面部２１ｂに、上方へ向けて突出する突起部（図示略）を設けてもよく、該突起部によって下面部２１ｂにおける変形抑制効果が高まり、さらに該突起部を通気孔２２よりも幅方向Ｘにおける内側に設けることで通気孔２２への水の侵入が抑制される。
【００２１】
図４に戻り、ミッドソール２０の前足部から中足部にかけて上面を穿つように凹部２３が形成されている。凹部２３には、凹部２３に対応する形状のクッション部材２５が嵌め合わされている。クッション部材２５は、足のＭＰ関節Ｊａに対応して幅方向Ｘの全幅に亘る関節クッション部２５ａと、関節クッション部２５ａから外側の後方へ延びる外側クッション部２５ｂとを有する。尚、凹部２３およびクッション部材２５を設けない構成とし、クッション部材２５の部分がミッドソール２０と同じ素材で一体的に形成されていてもよい。
【００２２】
プレート部材３０は、靴底の他の部分よりも剛性が高い材料で形成されており、図４に示すように、中足部において幅方向Ｘの外形寸法が大きく、前足および後足に向かうにつれて窄まるように延びる薄板状をなす。プレート部材３０は、中足部において、湾曲した短冊状の内側部材３１および外側部材３２が前後方向に延びるように形成されており、内側部材３１および外側部材３２の間は、上下に貫通する貫通孔となっている。内側部材３１および外側部材３２は、前足部において、幅方向の内側から外側へ向かうにつれて後方へ延びるように傾斜する補強部材３３により連結されている。内側部材３１の幅方向Ｘの寸法Ｗ１は、外側部材３２の幅方向Ｘの寸法Ｗ２よりも大きくしてある。
【００２３】
アウターソール１０のつま先ソール部１１は、例えばゴムやゴム発泡体、熱可塑性および熱硬化性エラストマーを用いる。ソール本体部１２は、例えばゴムやゴム発泡体、熱可塑性および熱硬化性エラストマーを用いるが、例えばＴＰＵ（熱可塑性ポリウレタン）のような熱可塑性樹脂を含んでいても良い。ミッドソール２０は、例えば樹脂製の発泡体で形成される。樹脂としては、ポリオレフィン樹脂やＥＶＡ（エチレン−酢酸ビニル共重合体）等の熱可塑性樹脂等であり、適宜、任意の他の成分、例えば繊維などを含んでいてもよい。クッション部材２５は、例えば樹脂製の発泡体で形成される。クッション部材２５は、例えばポリオレフィン樹脂やＥＶＡ、スチレン系エラストマー等の発泡体を用いる。プレート部材３０は、ガラス繊維強化プラスチックやその他の繊維強化プラスチックを用い、更には熱可塑性および熱硬化性エラストマーを用いてもよい。
【００２４】
例えばアウターソール１０において、つま先ソール部１１の硬度をＨＡ６２、ソール本体部１２の硬度をＨＡ７０とする。また、例えばミッドソール２０の硬度をＨＣ５７、クッション部材２５の硬度をＨＣ５０とする。プレート部材３０は、例えば弾性率２．８７ＧＰａとして高剛性を確保し、ミッドソール２０よりも高い硬度とする。
【００２５】
次に靴１００の作用について説明する。図７（ａ）および図７（ｂ）は踏まず部への靴底１のフィット性について説明するための模式図である。着用者が靴１００を履いて靴紐を締めたときに、靴底１の中足部における内側は、図７（ａ）の一点鎖線に示すように変形して踏まず部にフィットする。切欠き部２１の上方に位置するミッドソール２０は、切欠き部２１の前方または後方の部分に比べて厚みが小さく剛性が低いため、変形し易い。ミッドソール２０の中足部の内側においてミッドソール２０が上方へ持ち上がるように変形することで、内側縦アーチの沈み込みを低減することができる。一方、図７（ｂ）に示すように切欠き部２１が設けられていない場合には、靴紐の締め付けによってアッパー９によって足が下方へ押圧され、内側縦アーチの沈み込みが生じてしまう。また、外側にも切欠き部２１と同等の切欠き部を設けることで、外側縦アーチの沈み込みを低減することができる。切欠き部２１を内側に設けた場合にも、外側に設けた場合にも、沈み込み低減効果が同様に得られるが、内側に切欠き部２１を設けたほうがより多くの着用者に副次的な効果があり、有効性が高くなる。即ち、足首部分の倒れに関して、多数の人が内側に倒れるプロネーションの傾向にあり、次いで中立、少数の人が外側に倒れるサピネーションの傾向にあるため、内側での沈み込み抑制がプロネーションの改善に繋がる副次的効果を有する。一方、外側における沈み込み低減は、いわゆるＯ脚の人に対して効果がある。
【００２６】
切欠き部２１の下面部２１ｂは、プレート部材３０で形成されており、上面部２１ａに比べて硬度が高く、アウターソール側での屈曲変形を抑制している。プレート部材３０は、前足部から後足部まで延びるように設けられており、靴底１の前部から後部に亘って、屈曲変形が抑制される。また、ミッドソール２０の切欠き部２１の下方にプレート部材３０を配設することで、地面の凹凸による足裏への突き上げを抑制することもできる。足のアーチの沈み込みを抑制する観点において、切欠き部２１の下方にはアウターソール１０が設けられていればよく、プレート部材３０は、設けられなくてもよい。プレート部材３０を設けない場合、切欠き部２１の下方に位置するアウターソール１０が切欠き部２１の下面部２１ｂとなり、プレート部材３０に代わって変形抑制部として機能する。また、この部分の硬度や剛性を高めるため、アウターソール１０を部分的に厚くする、補強リブを設ける、材料を変更するなどしてもよい。
【００２７】
また図７に示されるように通気孔２２は、ミッドソール２０を上下方向に貫通するように設けられていることで、靴１００内部への水の侵入を抑制する水侵入抑制部として機能する。ここで、上下方向とは、垂直方向だけに限定されるのではなく、上下方向に空気が通過できるように連通していればよい。したがって、断面視でクランク状やラビリンス状に形成されるものも含まれる。また、通気孔２２が切欠き部２１の幅方向の中途部に設けられていることで、通気孔２２の下方に切欠き部２１の空間があり、該空間に通気孔２２に侵入した水が滴下されることで、靴１００内部への水の侵入が抑制される。また、上述のように、上面部２１ａまたは下面部２１ｂに突起部を設けた場合には、それぞれ上面部２１ａまたは下面部２１ｂにおける変形抑制効果が高まり、さらに該突起部が通気孔２２よりも幅方向Ｘにおける内側に設けられることで通気孔２２への水の侵入が抑制される。
【００２８】
クッション部材２５は、足のＭＰ関節Ｊａに着用者の体重が掛かる際の衝撃や局所的な荷重の増大を関節クッション部２５ａ（図４参照）によって緩和する。また、中足部の外側へ体重が掛かる際にも、外側クッション部２５ｂによって衝撃や大きな荷重の負荷を緩和する。さらには、走行時の蹴り出しの際に、適切に変形することによって前方への付勢力を高める。
【００２９】
また図４で示したプレート部材３０は、つま先側に対して踵側が内向きにねじれる変形に対して、補強部材３３がプレート部材３０を強化している。また、体重が踵部からつま先側へ移動する際に小趾球側よりも母趾球側での荷重が大きいため、蹴り出し時に靴底１が内側および外側で同等な屈曲となるべく、内側部材３１の幅方向Ｘの寸法Ｗ１は、外側部材３２の幅方向Ｘの寸法Ｗ２よりも大きくしてある。内側部材３１の幅方向Ｙの寸法Ｗ１を外側部材３２よりも大きくするほか、内側部材３１の厚みを外側部材３２の厚みよりも大きくすることや、リブを立てて剛性を増すなどしてもよい。また、内側部材３１および外側部材３２は、図４に示すようにつま先側で繋がっていてもよいし、繋がっていなくてもよい。
【００３０】
図８（ａ）〜図８（ｅ）はプレート部材３０の変形例を示す模式図である。図８（ａ）〜図８（ｅ）は、プレート部材３０の平面図を表している。図８（ａ）に示すプレート部材３０は、補強部材３３が幅方向の内側から外側へ向かうにつれて前方へ延びるように傾斜する。人の足部のＭＰ関節部は、親趾に対して小趾側が踵寄りにあるため、踵が上がって蹴り出す局面で、つま先に対して踵部が外向きにねじれる傾向にある。プレート部材３０は、中央部の貫通孔による軽量化に加えて、つま先側に対して踵側が外向きにねじれる変形を補強部材３３によって抑制し、走行方向に蹴り出し方向を誘導する効果がある。
【００３１】
図８（ｂ）のプレート部材３０は補強部材３３が設けられていない場合を示しており、足の運動に対して十分な強度を有する場合には、補強部材３３は不要である。プレート部材３０は補強部材３３を設けないことから、軽量化が図られる。図８（ｃ）のプレート部材３０は中央に穴を設けない場合を示しており、プレート部材３０の全体について剛性が向上し補強されたものとなる。図８（ｄ）に示すプレート部材３０は、点線で示す箇所の左右で異なる素材を用いた場合を示しており、形状は図４に示したプレート部材３０と同様である。人の足部には内側縦アーチがあり、内側が変形し易く、母趾球側の荷重が大きくなることから、走行時の支持期中盤において、つま先に対して踵部が内側にねじれる。プレート部材３０は、軽量化に加えて、補強部材３３によって内ねじれを抑制することにより、前足部の変形量を低減し、エネルギーロスの低減および接地時間の短縮を図ることができる。図８（ｅ）に示すプレート部材３０は、前部が繋がっておらず、また後部において内側および外側で前後方向に延びる部分を設けた場合を示しており、プレート部材３０が設けられた箇所での剛性が高くなる。
【００３２】
（実施形態２）
図９は実施形態２に係る靴底１の外観を示す斜視図であり、図１０は靴底１の分解斜視図である。靴底１には図１に示すようなアッパー９が接合されて靴を構成する。実施形態２に係る靴底１は、実施形態１と同様にアウターソール１０、ミッドソール２０およびプレート部材３０を備えるが、クッション部材２６が、踵部から外側における中足部の前部まで延びるように設けられている。尚、ミッドソール２０の中足部における内側には、実施形態１と同様に切欠き部２１が設けられている。切欠き部２１の構成および作用については、実施形態１と同等であり、簡潔化のため説明を省略する。
【００３３】
クッション部材２６は、ミッドソール２０の下側においてアウターソール１０と挟み込まれるように設けられている。クッション部材２６は、踵部に配設される踵クッション部２６ａと、踵クッション部２６ａから外側において中足部の前部へ延びる外側クッション部２６ｂとを有する。アウターソール１０、ミッドソール２０、クッション部材２６およびプレート部材３０の材質や硬度等は、例えば実施形態１において説明したものと同等とすればよい。
【００３４】
踵クッション部２６ａは、着用者が踵部で着地する際に体重がかかって生じる衝撃や局所的な荷重の増大を緩和する。また、外側クッション部２６ｂは踵部からつま先側へと体重が移動する際に、足の外側にかかる体重による衝撃や荷重の増大を緩和する。
【００３５】
図９および図１０に示すクッション部材２６は、ミッドソール２０の下側に配設されているが、ミッドソール２０の上側に配設されていてもよい。また、実施形態１で示した関節クッション部２５ａが更に設けられていてもよい。クッション部材２６としてはゲルが好適であるが、ミッドソール２０より柔らかい追加のミッドソールでもよい。
【００３６】
（実施形態３）
図１１（ａ）は実施形態３に係る靴底１の内側から見た外観を示す斜視図であり、図１１（ｂ）は実施形態３に係る靴底１の外側から見た外観を示す斜視図である。また図１２（ａ）はアウターソール１０を除く靴底１の内側下方から見た外観を示す斜視図であり、図１２（ｂ）はアウターソール１０を除く靴底１の外側下方から見た外観を示す斜視図である。靴底１には図１に示すようなアッパー９が接合されて靴を構成する。実施形態３に係る靴底１は、アウターソール１０、ミッドソール２０および変形抑制部材３５等を備え、内側の切欠き部２１および外側の切欠き部２７を設けることによって、着用者が靴を履いたときの足の内側縦アーチおよび外側縦アーチの沈み込みを低減する。
【００３７】
ミッドソール２０は、上ミッドソール２０ａおよび下ミッドソール２０ｂを有する。上ミッドソール２０ａは、つま先から踵まで形成されている。下ミッドソール２０ｂは、後足ソール部５１および中足ソール部５２が離間して設けられており、幅方向Ｘの中央部において前後方向に延びる連結部５３によって後足ソール部５１および中足ソール部５２が連結されている。後足ソール部５１の後方には、踵部における後部から、踵部における外側に延びるように踵部材４０が配設されている。
【００３８】
踵部材４０は、踵部における後部から、踵部における内側に延びるように配設されていてもよい。踵部材４０は、耐摩耗性を考慮してアウターソール１０と同様に、例えばゴムやゴム発泡体、熱可塑性および熱硬化性エラストマーを用いる。踵部材４０の硬度は、着地の際の衝撃を緩和するためにはアウターソール１０の硬度よりも低くすることが好ましいが、摩耗を抑制するためにアウターソール１０の硬度よりも高くしてもよい。
【００３９】
上ミッドソール２０ａは、下ミッドソール２０ｂの上に配置されており、つま先から踵まで形成されている。上ミッドソール２０ａは、下ミッドソール２０ｂによって後足部および中足部の底側が覆われている。
【００４０】
ミッドソール２０の中足部の内側には、実施形態１と同様に切欠き部２１が形成されている。また、実施形態３に係るミッドソール２０は、中足部の外側にも切欠き部２７を有している。切欠き部２１は、上面部２１ａを残しつつ中足部の内側から穿つように形成されており、内側および底側が開放されている。切欠き部２７は、上面部２７ａを残しつつ中足部の外側から穿つように形成されており、外側および底側が開放されている。切欠き部２１および切欠き部２７は、下方に配設される変形抑制部材３５によって底側が閉塞され、それぞれ内側および外側が開放された状態となっている。
【００４１】
図１３（ａ）は変形抑制部材３５の外観を示す斜視図であり、図１３（ｂ）は下ミッドソール２０ｂの外観を示す斜視図である。変形抑制部材３５は、ミッドソール２０における切欠き部２１の上面部２１ａに添うように配設される板状の内側上面変形抑制部３６、および内側上面変形抑制部３６の下方に配設される板状の内側下面変形抑制部３７を有する。内側上面変形抑制部３６は、下方に対して凹状となるように、内側から見て湾曲した形状となっている。内側下面変形抑制部３７は、内側から見て凹凸のあるラインで形成されていてもよい。
【００４２】
内側下面変形抑制部３７は、例えば上方に対して凹状となるように、内側から見て湾曲した形状となっており、前後方向Ｙの中央部において内側上面変形抑制部３６と最も離間し、前部および後部において内側下面変形抑制部３７に連結されている。内側下面変形抑制部３７は、内側から見て直線状であっても、凹凸のあるラインで形成されていてもよい。切欠き部２１は、内側下面変形抑制部３７によって底側が閉塞される。
【００４３】
また変形抑制部材３５は、中足部の外側において、ミッドソール２０の切欠き部２７の下面部分を形成する板状の外側下面変形抑制部３８を有する。切欠き部２７は、外側下面変形抑制部３８によって底側が閉塞される。図１３（ａ）に示す外側下面変形抑制部３８は、内側上面変形抑制部３６および内側下面変形抑制部３７と別体で構成されているが、前側および後側の少なくとも一方において連結されていてもよい。
【００４４】
変形抑制部材３５は、下ミッドソール２０ｂにおける後足ソール部５１の上面５１ａ（図１３（ｂ）参照）および中足ソール部５２の上面５２ａに載せられ、下ミッドソール２０ｂおよび上ミッドソール２０ａによって挟み込まれる。尚、切欠き部２１および切欠き部２７は幅方向に貫通しておらず、少なくとも下ミッドソール２０ｂの連結部５３によって幅方向の中央部において閉塞されている。
【００４５】
次に実施形態３に係る靴底１の作用について説明する。靴底１は、中足部の内側および外側に切欠き部２１および切欠き部２７を有することで、着用者が靴を履いて靴紐等を締めた際に、足の内側縦アーチおよび外側縦アーチの沈み込みを低減する。
【００４６】
また切欠き部２１の上面部２１ａに設けられた内側上面変形抑制部３６は、例えばミッドソール２０の硬度よりも高い硬度の材質で形成することによって、上面部２１ａの下方への変形を抑制することができる。また、内側上面変形抑制部３６は、切欠き部２１の上面部２１ａよりも剛性が高くなるような形状（例えばリブを有する形状など）とすることによっても、上面部２１ａの下方への変形を抑制することができる。
【００４７】
次に、実施形態および変形例に係る靴１００の特徴を説明する。
靴１００は、路面に接するアウターソール１０と、アウターソール１０の上に配設されるミッドソール２０と、足を上方から覆うアッパー９とを備える。ミッドソール２０は、側方に向けて開放され、幅方向の中途部で閉塞する切欠き部２１等を中足部に有する。これにより、靴１００は、切欠き部２１が開放されていることで、ミッドソール２０が足の中足部にフィットし、内側縦アーチや外側縦アーチの沈み込みを低減できる。
【００４８】
切欠き部２１は、内側部に設けられている。これにより、靴１００は、踏まず部に対応する内側縦アーチの沈み込みを低減できる。
【００４９】
また切欠き部２１の下面側に、硬度または剛性が上面側以上である変形抑制部としてのプレート部材３０が設けられている。これにより、靴１００は、アウターソール１０側での屈曲変形を抑制できる。
【００５０】
またプレート部材３０は、板状をなし、切欠き部２１の下面側の前方から後方に亘って延びるように設けられている。これにより、靴１００は、切欠き部２１の下面側における前方から後方にわたって屈曲変形を抑制できる。
【００５１】
またプレート部材３０は、中足部において幅方向に拡幅し、中央部に上下に貫通する孔が形成されており、内側部分に当たる内側部材３１の幅方向の寸法Ｙが、外側部材３２より大きい。これにより、靴１００は、内側および外側で同等の屈曲変形とすることができる。
【００５２】
また切欠き部２１は、上面側の下方への変形を抑制する上面変形抑制部としての内側上面変形抑制部３６を有する。これにより、靴１００は、切欠き部２１の下方への変形を抑制することができる。
【００５３】
また切欠き部２１の内面からミッドソール２０を貫通するように通気孔２２が形成されている。これにより、靴１００は、内部の通気性を確保することができる。
【００５４】
また通気孔２２は、水が外部から侵入することを抑制されるように上下方向に延びるように設けられている。これにより、靴１００は、内部への水の侵入を抑制することができる。
【００５５】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５６】
１０  アウターソール、  ２０  ミッドソール、  ２１，２７  切欠き部、
２２  通気孔、  ３０  プレート部材（変形抑制部）、
３１  内側部材（内側部分）、  ３２  外側部材（外側部分）、
３６  内側上面変形抑制部（上面変形抑制部）、  ９  アッパー、  １００  靴。
【産業上の利用可能性】
【００５７】
本発明は、靴に関する。
【図１】
2020136914.tif 000003
【図２】
2020136914.tif 000004
【図３】
2020136914.tif 000005
【図４】
2020136914.tif 000006
【図５】
2020136914.tif 000007
【図６】
2020136914.tif 000008
【図７】
2020136914.tif 000009
【図８】
2020136914.tif 000010
【図９】
2020136914.tif 000011
【図１０】
2020136914.tif 000012
【図１１】
2020136914.tif 000013
【図１２】
2020136914.tif 000014
【図１３】
2020136914.tif 000015
【国際調査報告】
2020136914.tif 000016
2020136914.tif 000017
2020136914.tif 000018